(57)【要約】【課題】  リング状照明アクセサリーを装着せずとも、操作性に優れた近接撮影が可能な撮像装置を提供する。【解決手段】  １つ以上の光源と、それぞれの光源からの光を通じて照明範囲を変化させ、かつ、１種類以上の光源の切り替え移動が可能な導光部材をもつ撮像装置において、検出した導光部材の位置を元に、撮像装置本体の動作を制御する。【選択図】  図１
2006115174.tif 000002
【特許請求の範囲】
【請求項１】
１つ以上の光源と、それぞれの光源からの光を通じて照明範囲を変化させ、かつ、１種類以上の光源の切り替え移動が可能な導光部材をもつ撮像装置において、
上記導光部材の位置を検出する検出手段をもち、その検出手段からの検出信号を元に、撮像装置本体の動作を制御する制御手段をもつことを特徴とする撮像装置。
【請求項２】
前記導光部材は撮像レンズ鏡筒の周囲にあり、かつ光軸中心と略同心円状に配設された事を特徴とする請求項１に記載の撮像装置。
【請求項３】
前記導光部材は撮像レンズの光軸を中心として回転可能に配設されたことを特徴とする請求項１に記載の撮像装置。
【請求項４】
前記制御手段により、自動的に撮像装置の撮影モードの切り替えが行える事を特徴とした請求項１に記載の撮像装置。
【請求項５】
前記制御手段により、ズームレンズを自動的に最広角側に移動し固定したことを特徴とする請求項１に記載の撮像装置。
【請求項６】
前記制御手段により、自動的に電子ズームが行えるようにしたことを特徴とする請求項５に記載の撮像装置。
【発明の詳細な説明】
【技術分野】
【０００１】
本発明は照明手段をもつ撮像装置に関する。
【背景技術】
【０００２】
図５は従来の撮像装置の外観を示す図である。５１は撮像装置本体、５２は撮像レンズ、５３、５４は被写体に光を照射するための照明装置であり、ここでは特に５３を白色LＥＤ照明装置、５４をフラッシュ照明装置とする。
【０００３】
ここで、上記５３，５４の照明装置は通常の撮影において被写体が暗い場合に使用されるものであるが、例えばどちらか一方を赤外光照明装置とする事で赤外線撮影の際にも被写体に赤外光を照射する事が出来るようになる。もちろん、この場合撮像装置本体に赤外線撮影を可能とする機能が必要である。
【０００４】
このように、近年１台の撮像装置で複数の照明装置を搭載する機種が増えてきた。これら照明装置の使用例として主に動画撮影時には白色ＬＥＤ照明装置、静止画撮影時にはフラッシュ照明装置という具合である。
【０００５】
フラッシュ照明装置が静止画撮影に適していると言うのは、一般的な銀塩フィルムカメラを例にとれば考えやすい。また、ＬＥＤ照明装置は消費電力が小さい、常時点灯可能であるという特性を考慮に入れると動画撮影に適していると言える。もちろん、ＬＥＤ照明装置一灯で静止画撮影と動画撮影の両方をカバーする事も可能である。
【０００６】
通常これらの照明装置の発光量及びその照射角度は、どのくらいの距離にいる被写体を最適な露出で撮影する事が目的かという、それぞれの撮像装置の性格を考慮して設定される。
【０００７】
ここで照明装置の発光量とその照射角度の関係について述べる。発光量を一定とした場合、照射角度が狭い方がより遠くに光を届かせることができる。遠くにいる被写体の撮影には適している。しかし、照射角度が狭いと撮影画像内の狭い範囲にしか光が当たらないことになり、被写体が近くにいると撮影画像内の被写体の位置が限られてしまう。また逆に、照射角度を広くすると光が拡散して遠くに光を届かせることができない。しかしながらこの場合には近距離の被写体の位置が撮影画像内の広い範囲に分散していても、それぞれの被写体に光を行き届かせることができる。
【０００８】
ここでは図６ａのように撮像レンズ５２から被写体５６までの距離が１〜３ｍの範囲内で適正な露出となるように設定された露光量と照射角度を持つ照明装置を搭載した撮像装置の場合を例にとり説明する。
【０００９】
ここでフラッシュ照明装置５４について説明すると、フラッシュ照明装置５４の発光量および照射角度５４ａはこの範囲内の被写体に対して最適な照明となるように設定される。この範囲内で撮影された被写体５６の撮影画像は、図６ｂのように画面全体に照明光が行き渡った適正な露出の状態となり、これによって撮影、記録される。
【００１０】
このような照明装置を用いて近接撮影を行おうとした場合、図７ａに示すように撮像レンズ５２と被写体５７との距離が近くなるため、その撮影画像は図７ｂのようになる。このときフラッシュ照明装置５４の光の照射角度５４ａの範囲内に被写体５７が収まりきらず、被写体５７に対して光が偏った方向から照射され、被写体全体に光が行き届かない状態の撮影画像となる。
【００１１】
これは白色ＬＥＤ照明装置５３においても同様の現象となる。
【００１２】
こうした問題に対しては、撮像レンズの周りに着脱可能なリング状の照明アクセサリーなどが市販されている。
【００１３】
また、一つの光源を利用して通常撮影と近接撮影が行えるようにしたカメラが提案されている（特許文献１参照）。具体的には、図８，９に示すように撮像レンズ２２の回りに回動可能で、かつリング状投光面２５ａと閃光光受光部２５ｂが一体的に形成されたライトガイド２５が装着されたカメラとなる。図８では発光部２３を閃光光受光部２５ｂが塞がないので通常のフラッシュ撮影に適した配光が発光部２３から被写体に対して照射され、近接フラッシュ撮影時には図９のように、発光部２３から出た光がライトガイド受光部２５ｂを通り、撮像レンズ２２の周辺にある投光面２５ａから近接被写体に対して照射される。
【特許文献１】特開平８−４３８８７号公報
【発明の開示】
【発明が解決しようとする課題】
【００１４】
しかしながら、近接撮影時に、別体のリング状照明アクセサリーを装着する必要があり、操作性が悪い。
【００１５】
また、上述した特許文献１に開示されたカメラでは、（１）ライトガイドの位置の検出ができないため、光源からの光がライトガイドを通じた場合と通じていない場合による撮像装置の制御が出来ない、（２）ライトガイドの位置の検出が出来ないため、複数の照明用の光源を持った撮像装置には適さない、（３）ズーム機能（画角を調節する機能）付きのレンズの場合、望遠側より広角側のほうが焦点距離が短いため、より被写体に近接することができるが、上記公報のカメラでは、ライトガイドの位置の検出ができないため、通常撮影時と近接撮影時の判別ができない。そのため近接撮影を行う時には近接領域の被写体にピントを合わせるために、その都度ズームレンズを広角側に動かさなくてはならないので操作性が悪い、（４）上記（３）の状態で特にズームレンズを最広角端に寄せなくてはピントの合わない撮影距離（最短撮影距離）の被写体の撮影を行うとき、被写体までの距離をその撮影最短距離以上に縮めることができないため、被写体をさらに拡大して撮影することができない、という問題点が挙げられる。
【課題を解決するための手段】
【００１６】
上記問題点を解決するために本発明では、１つ以上の光源と、それぞれの光源からの光を通じて照明範囲を変化させ、かつ、１種類以上の光源の切り替え移動が可能な導光部材をもつ撮像装置において、上記動光部材の位置を検出する検出手段をもち、その検出手段からの検出信号を元に、撮像装置本体の動作を制御する制御手段をもつことを特徴とする撮像装置を提供する。
【発明の効果】
【００１７】
本発明によれば、ライトガイドが撮像装置本体に移動可能に構成されているので、別体のアクセサリー等の着脱作業は必要がなく、操作性が向上するという効果を得ることができる。
【発明を実施するための最良の形態】
【００１８】
（実施例１）
以下に図１〜４を用いて本発明による実施例を示す。
【００１９】
図１は本発明を最もよく表した撮像装置の前方斜視図であり、１は近接撮影用ライトガイド、２はフラッシュ照明装置、３はＬＥＤ照明装置、４は撮像レンズ、５は近接撮影用ライトガイド１と直結または一体に成形され近接撮影用ライトガイド１と連動する突起部、６と７は検出スイッチ、８は近接撮影用ライトガイド１と一体的に形成され、光源からの光を受けるための受光部、９は撮像装置本体、３０はズームレンズを望遠側、広角側に操作するためのスイッチである。
【００２０】
フラッシュ照明は、主に静止画撮影のときに使われ、ＬＥＤ照明はフラッシュ照明ほどの明るさはないが、常に被写体を照らしつづけられることから、動画撮影に使用されることが多い。また、各照明装置の光源に赤外光照明装置や、赤や青などの色付きライトを搭載することも考えられる。これにより、通常撮影とは別の特殊な撮影が行える撮像装置の提供も可能となる。
【００２１】
近接撮影用ライトガイド１は撮像レンズ４の光軸を中心に回転可能で、矢印Ａ方向に回転させて受光部８をＬＥＤ照明装置３の発光面の上に回動させたとき、受光部８は８ａの位置にあり、それと同時に突起部５が５ａの位置に来て、検出スイッチ６を操作する。さらに近接撮影用ライトガイド１を矢印Ａの方向の回転させて受光部８を８ａの位置から８ｂの位置に回動させると、受光部８はフラッシュ照明装置２の発光面の上に来て、そのとき突起部５は５ａの位置から５ｂの位置に移動するので、突起部５は検出スイッチ７を操作することになる。
【００２２】
また、ズームスイッチ３０を操作するとズームレンズが移動する。ズームレンズはその移動によって焦点距離を変える事が出来るレンズで、焦点距離を長くする事で遠くの被写体を拡大したり（望遠）、焦点距離を短くする事で広い範囲の被写体を捉えたりする（広角）事が出来る。特に、ズームレンズは図中Ｔのスイッチを操作すると望遠側に、図中Ｗのスイッチを操作すると広角側に移動するように設定されている。
【００２３】
図２は撮像装置の概略構成を示すブロック図であり、１０１はズームレンズを含む撮影レンズ群、1０２は撮像素子、１０３はカメラ信号処理部、１０４は画像表示装置、１０５は制御用マイクロコンピュータ（以下、制御マイコンという）、１０６は記録部、１０７は操作スイッチ部、１０８は撮影記録スイッチ（レリーズスイッチ）、１０９はＬＥＤ照明スイッチ、１１０はフラッシュ照明スイッチ、１１１はLED照明装置、１１２はフラッシュ照明装置、１１３はライトガイド位置検出部であり、１１４は回動可能なライトガイドである。
【００２４】
レンズ群1０１を介して被写体像が撮像素子１０２の受光面上に結像される。この撮像素子１０２は、被写体像に応じた電気信号を出力し、この電気信号は、カメラ信号処理部１０３に入力される。
【００２５】
このカメラ信号処理部１０３においては、上記電気信号が所定形態の映像信号に変換され、画像表示装置１０４に入力される。画像表示装置１０４には映像信号が可視像として表示される。記録部１０６では入力された映像信号をメモリカードやテープ、ディスク等の記録媒体へ記録する。
【００２６】
撮影者は画像表示装置１０４で撮影する像を確認しつつ操作スイッチ１０７を操作する。この操作スイッチ部１０７の操作内容を示すデータは制御マイコン１０５により、具体的な処理内容を示すコマンドに変換されて後、装置各部に供給される。
【００２７】
例えば、撮影記録スイッチ１０８を操作すると、制御マイコン１０５から記録部１０６へ記録の指示が行われ、これを受けて記録部１０６は映像信号を記録する。
【００２８】
さらに、撮影する被写体に十分な光が当たっておらず暗くなっているときには、被写体が撮影に適した明るさになるよう、各照明装置からの光を被写体に向けて照射することになる。このとき、被写体に対して照明の照射が必要かどうかは、撮像装置の制御マイコン１０５が撮像素子１０２に入った光りの情報から自動的に判断するか、撮影者自身が画像表示装置１０４を見て判断する。
【００２９】
この判断の結果、撮像装置の制御マイコン１０５がＬＥＤ照明装置１１１やフラッシュ照明装置１１２に対して点灯するよう指示を出すか、または撮影者自身がＬＥＤ照明スイッチ１０９やフラッシュ照明スイッチ１１０を操作して照明装置を点灯させるよう制御マイコン１０５に指示を出す。
【００３０】
また、ライトガイド位置検出部１１３からの検出信号を制御マイコン１０５が受け取ると、制御マイコン１０５はその検出信号からライトガイド１１４の位置を判断する。この判断をもとに制御マイコン１０５では撮影モードの自動選択を行ったり、撮影レンズ群１０１に焦点距離の範囲やズームレンズ位置についての指示を出したりする。さらに撮影者によるズームスイッチ１１５の操作入力信号からカメラ信号処理部１０３に電子ズームなどの処理を行うよう指示を出したりする。
【００３１】
以上の構成について図１の番号を交えながら図３、４のフローチャートを用いて説明する。
【００３２】
ライトガイド受光部８がＬＥＤ照明装置３の発光面位置８ａのところにいるかどうかを検出する（Ｓ１）。このとき検出スイッチ６が反応していればＹＥＳであり反応していなければＮＯである。ＹＥＳで進むと撮像装置の現在のモードが動画撮影モードになっているかを判断する（Ｓ２）。動画撮影モードであればＹＥＳに進み、動画撮影モードでなければＮＯに進んで撮像装置の撮影モードを動画撮影モードに切り替えた（Ｓ１１）のち、近接撮影用サブルーチン（Ｓ１４）に進む。
【００３３】
また、（Ｓ１）の結果がＮＯであった場合、シーケンスは（Ｓ５）に進む。（Ｓ５）ではライトガイド受光部８がフラッシュ照明装置２の発光面位置８ｂのところにいるかどうかを検出する。このとき検出スイッチ７が反応していればＹＥＳであり反応していなければＮＯである。ＹＥＳで進むと撮像装置の現在のモードが静止画撮影モードになっているかを判断する（Ｓ６）。静止画撮影モードであればＹＥＳに進み、静止画撮影モードでなければＮＯに進んで撮像装置の撮影モードを静止画撮影モードに切り替えた（Ｓ１５）のち、近接撮影用サブルーチン（Ｓ１４）に進む。
【００３４】
ここで図４に近接撮影用サブルーチン（Ｓ１４）について説明する。
【００３５】
近接撮影用サブルーチン（Ｓ１４）に入るとまずホワイトバランス値の変更（Ｓ２０）処理を行う。これは、ライトガイドを各照明装置の光が通り抜けることにより、光がライトガイドを通らないときに比べ光の波長のバランスが崩れ、被写体に当たる光の色が変化するためである。特に、波長の短い光が損失を受けるので、それらを計算に入れあらかじめ用意されたライトガイド用のホワイトバランス値に変更する。
【００３６】
次にズームレンズが最広角端にあるかどうかを判断する（Ｓ２１）。ズームレンズが最広角端にあればＹＥＳに進み、最広角端に無ければＮＯに進んでズームレンズを広角側に移動する処理を行い（Ｓ２４）、改めてズームレンズが最広角端にあるかどうかの判断をする（Ｓ２１）。これは、レンズが広角側になるほど焦点距離が短くなって近接撮影に適するためで、特に、近年のビデオカメラにおいてはリアフォーカスレンズが主流であり、このレンズの特徴として広角側では撮像レンズの最も被写体に近い側のレンズの直前までピントが合うからである。
【００３７】
さらに（Ｓ２１）でＹＥＳに進むと、ズームスイッチの操作が行われているかどうかを判断する（Ｓ２２）。ここでズームスイッチ３０が操作されていればＹＥＳに進んで、電子ズームの制御が行われる（Ｓ２３）。電子ズーム機能とは、ＣＣＤなどの電気的な撮像素子の一部を切り出して拡大表示する機能である。たとえば今、画像の記録サイズを1600×1200ドットに設定しているとしたとき、電子ズームを2倍（2x）にすると画面中央部分の800×600ドット分を2倍（200％＝面積は4倍）に拡大して表示することができる。
【００３８】
Ｓ２２でＮＯに進むか、Ｓ２３の処理が終了するとフローはサブルーチンＳ１４を抜ける。
【００３９】
その後の処理として、動画撮影モードであれば、ＬＥＤ照明装置３を点灯し（Ｓ３）、撮影開始の操作をして（Ｓ４）記録が始まる（Ｓ１３）。
【００４０】
また、静止画モードであれば、撮影開始（Ｓ７）の指示がなされると、フラッシュ照明装置２は予備発光を行い（Ｓ８）その反射光から被写体の明るさを判断して（Ｓ９）、被写体が十分な明るさで撮影されるよう調整された光量で本発光がされる（Ｓ１０）。そして、記録が始まる（Ｓ１３）。
【００４１】
またさらに、（Ｓ５）の結果がＮＯであった場合には、ライトガイド受光部８はどの照明装置の発光面上にもなく、各照明装置からの光はダイレクトに被写体に届くことになる。この場合、撮像装置は通常撮影モードとなり（Ｓ１１）撮影開始の操作で（Ｓ1２）記録が始まる（Ｓ１３）。
【００４２】
上述の実施例のように本発明ではライトガイドの位置を検出することができるため、ＬＥＤ照明近接撮影モードの場合には動画撮影モード、フラッシュ照明近接撮影モードの場合には静止画撮影モードに切り替わるため、照明手段と撮影モードを個別に選びなおす必要がなくなって操作性が向上し、かつ、各照明装置の光がライトガイドを通り抜ける際のホワイトバランスの変化が自動的に調整されるので、各照明装置の光がライトガイドを通したときとそうでないときで起こる撮影画像の色の違いをなくすことができるため、常に安定した画質で撮影が行え、かつ、ズームレンズの位置が自動的に最広角側に移動し固定されるので、撮影者は被写体までの距離を意識せず近接撮影が行えるため、撮像装置の操作性が向上し、かつ、電子ズーム機能の併用で、広角側に固定された画角のなかでさらにズームを行うことができるため、撮像装置の操作性が向上する。
【図面の簡単な説明】
【００４３】
【図１】本発明を最もよく表した、撮像装置の前方正面図。
【図２】本発明による実施の形態の概略構成を示すブロック図。
【図３】本発明による実施の形態のフローチャート図。
【図４】本発明による実施の形態のフローチャート図。
【図５】従来の撮像装置の外観図。
【図６】通常撮影時の被写体と撮像装置との位置関係図
【図７】近接撮影時の被写体と撮像装置との位置関係図
【図８】従来の提案を示す図。
【図９】従来の提案を示す図。
【符号の説明】
【００４４】
１  近接撮影用ライトガイド
２、５４  フラッシュ照明装置
３、５３  ＬＥＤ照明装置
４、５２  撮像レンズ
５  突起部
６、７    検出スイッチ
８  受光部
９、５１  撮像装置本体
３０  ズームスイッチ
５６,５７  被写体
【図１】
2006115174.tif 000003
【図２】
2006115174.tif 000004
【図３】
2006115174.tif 000005
【図４】
2006115174.tif 000006
【図５】
2006115174.tif 000007
【図６】
2006115174.tif 000008
【図７】
2006115174.tif 000009
【図８】
2006115174.tif 000010
【図９】
2006115174.tif 000011